(57)【要約】【課題】床面が傾斜している場合でも、その床面の傾斜方向と異なった方向へスムーズに直進させることができるショッピングカートを提供する。【解決手段】フレーム１２の下部四隅にキャスタ１７，１８を設けるとともに、上部にハンドル１６を設ける。ハンドル１６側の一対の後部キャスタ１８において、車輪２８を支持する水平な車輪支持軸２７を、キャスタ取付部としてのキャスタ取付軸２５の直下に配置する。【選択図】図１
0003184259.tif 000002
【実用新案登録請求の範囲】
【請求項１】
フレームの下部四隅にキャスタを設けるとともに、上部にハンドルを設けたショッピングカートにおいて、
前記ハンドル側の一対の後部キャスタの水平な車輪支持軸をキャスタ取付部の直下に配置したショッピングカート。
【請求項２】
後部キャスタをキャスタ取付部に固定した請求項１に記載のショッピングカート。
【請求項３】
前記後部キャスタを上下方向に延びるキャスタ取付軸を中心に旋回可能にした請求項１または２に記載のショッピングカート。
【請求項４】
後部キャスタの車輪間隔を前部キャスタの車輪間隔より狭くした請求項１〜３のうちのいずれか一項に記載のショッピングカート。
【請求項５】
前部キャスタの車輪支持軸をキャスタ取付部の直下に配置した請求項１〜３のうちのいずれか一項に記載のショッピングカート。
【請求項６】
フレームの下部四隅にキャスタを設けるとともに、上部にハンドルを設けたショッピングカートにおいて、
前部キャスタの水平な車輪支持軸をキャスタ取付部の直下に配置したショッピングカート。
【考案の詳細な説明】
【技術分野】
【０００１】
この考案は、ショッピングマーケット等において使用されるショッピングカートに関するものである。
【背景技術】
【０００２】
従来、この種のショッピングカートとしては、例えば特許文献１に開示されるような構成が提案されている。
この従来構成においては、フレームの下部四隅にキャスタが設けるとともに、上部にハンドル及び籠が設けられている。各キャスタは、上下方向に延びるキャスタ取付軸を中心に旋回可能に取り付けられた正ほぼ逆Ｕ字状の取付金具と、その取付金具の両側板間に水平な車輪支持軸を介して回転可能に支持された車輪とから構成されている。この場合、水平な車輪支持軸が、上下方向に延びるキャスタ取付軸の直下位置よりも側方に偏倚した位置に配置されている。そして、ショッピングカートの進行方向が変更されたとき、各キャスタがキャスタ取付軸を中心にして自由に旋回されて、ショッピングカートの進行方向に指向されるようになっている。
【先行技術文献】
【特許文献】
【０００３】
【特許文献１】特開平９−２４８３６号公報
【考案の概要】
【考案が解決しようとする課題】
【０００４】
ところが、この従来のショッピングカートにおいては、全てのキャスタが上下方向に延びるキャスタ取付軸を中心にて回動可能に支持されるとともに、車輪を支持する水平な車輪支持軸がキャスタ取付軸の直下位置よりも側方に偏倚した位置に配置されている。このため、各キャスタの車輪がキャスタ取付軸を中心とした大きな円弧を描いて旋回される。よって、床面が傾斜している場合には、各キャスタが床面の傾斜方向に沿って指向してしまって、ショッピングカートを床面の傾斜方向と異なった方向に直進させるのが困難であるという問題があった。
【０００５】
この考案は、このような従来の技術に存在する問題点に着目してなされたものである。その目的は、床面が傾斜している場合でも、その床面の傾斜方向と異なった方向へスムーズに直進させることができるショッピングカートを提供することにある。
【課題を解決するための手段】
【０００６】
上記の目的を達成するために、このショッピングカートは、フレームの下部四隅にキャスタを設けるとともに、上部にハンドルを設けたショッピングカートにおいて、前記ハンドル側の一対の後部キャスタの水平な車輪支持軸をキャスタ取付部の直下に配置したことを特徴としている。
【０００７】
従って、このショッピングカートにおいては、後部キャスタの車輪支持軸がキャスタ取付部の直下に配置されていることで、床面が傾斜している場合でも、後部キャスタが床面の傾斜方向に指向することはない。よって、ショッピングカートを床面の傾斜方向と異なった方向へスムーズに直進させることができる。
【考案の効果】
【０００８】
前記のショッピングカートによれば、床面が傾斜している場合でも、その床面の傾斜方向と異なった方向へスムーズに直進させることができるという効果を発揮する。
【図面の簡単な説明】
【０００９】
【図１】第１及び第２実施形態のショッピングカートを示す側面図。
【図２】図１のショッピングカートの背面図。
【図３】図２の３−３線における断面図。
【図４】従来のショッピングカートを示す断面図。
【考案を実施するための形態】
【００１０】
（第１実施形態）
以下、ショッピングカートの第１実施形態を図１〜図３に従って説明する。
図１及び図２に示すように、この実施形態のショッピングカート１１には、フレーム１２が設けられている。このフレーム１２は、パイプ材よりなる一対の支持脚１３と、両支持脚１３間の下部に前方へ延びるように設けられた支持台１４と、両支持脚１３間の上部に前方へ延びるように設けられた籠１５と、籠１５の後端上部に設けられたハンドル１６とを備えている。フレーム１２の下部四隅に位置するように、支持台１４の前端下部及び両支持脚１３の下端部には、各一対の前部キャスタ１７及び後部キャスタ１８が設けられている。なお、ここでは方向変更可能及び方向変更不能な車輪を総称してキャスタという。
【００１１】
図２及び図３に示すように、前記各前部キャスタ１７は、フレーム１２の支持台１４の前端下部に上下方向に延びるキャスタ取付軸２１を中心にして旋回可能に取り付けられた正ほぼ逆Ｕ字状の取付金具２２と、その取付金具２２の両側板間に水平な車輪支持軸２３を介して回転可能に支持された車輪２４とから構成されている。この場合、車輪支持軸２３がキャスタ取付軸２１の直下位置よりも側方に偏倚した位置に配置されて、前部キャスタ１７の車輪２４がキャスタ取付軸２１を中心とした大きな円弧を描いて旋回されるようになっている。
【００１２】
図１〜図３に示すように、前記各後部キャスタ１８は、フレーム１２の両支持脚１３の下端部にキャスタ取付部としてのキャスタ取付軸２５により固定状態に取り付けられた正ほぼ逆Ｕ字状の取付金具２６と、その取付金具２６の両側板間に水平な車輪支持軸２７を介して回転可能に支持された車輪２８とから構成されている。この場合、車輪支持軸２７がキャスタ取付部としてのキャスタ取付軸２５の直下に配置されて、ショッピングカート１１の後部側の荷重が一対の後部キャスタ１８の車輪２８に対して直上方から作用するようになっている。
【００１３】
図２及び図３に示すように、後部キャスタ１８の車輪間隔は、前部キャスタ１７の車輪間隔より狭くなっている。
次に、前記のように構成されたショッピングカートの作用を説明する。
【００１４】
このショッピングカート１１の使用時において、ハンドル１６の操作により、ショッピングカート１１の進行方向を変更しようとすると、前部キャスタ１７が上下方向に延びるキャスタ取付軸２１を中心に旋回されて、ショッピングカート１１の進行方向に沿うように指向される。このとき、後部キャスタ１８の車輪２８が床面との接触により水平な車輪支持軸２７を中心に回転されるため、ショッピングカート１１の進行方向をスムーズに変更することができる。
【００１５】
また、このショッピングカート１１においては、後部キャスタ１８がフレーム１２の支持脚１３に対して旋回不能に取り付けられるとともに、後部キャスタ１８の車輪支持軸２７がキャスタ取付軸２５の直下に配置されている。このため、ショッピングカート１１を傾斜した床面上において、その傾斜方向と異なった方向に直進移動させた場合、後部キャスタ１８が床面の傾斜方向に指向するおそれはなく、ショッピングカート１１をスムーズに直進移動させることができる。
【００１６】
ちなみに、従来のショッピングカートにおいては、図４に示すように、全てのキャスタ３１が上下方向に延びるキャスタ取付軸３２を中心にて回動可能に支持されるとともに、車輪３３を支持する水平な車輪支持軸３４がキャスタ取付軸３２の直下位置よりも側方に偏倚した位置に配置されている。このため、床面が傾斜している場合には、全てのキャスタ３１の車輪３３がキャスタ取付軸３２を中心とした大きな円弧を描いて旋回されて、床面の傾斜方向に沿うように指向し、ショッピングカートの床面の傾斜方向と異なった方向への直進移動が困難になる。
【００１７】
従って、この実施形態によれば、以下のような効果を得ることができる。
（１）  この実施形態においては、フレーム１２の下部四隅にキャスタ１７，１８が設けられるとともに、上部にハンドル１６が設けられている。ハンドル１６側の一対の後部キャスタ１８において、車輪２８を支持する水平な車輪支持軸２７が、キャスタ取付部としてのキャスタ取付軸２５の直下に配置されている。
【００１８】
このため、このショッピングカート１１においては、後部キャスタ１８の車輪支持軸２７がキャスタ取付軸２５の直下に配置されていることで、床面が傾斜している場合でも、後部キャスタ１８が床面の傾斜方向に指向することはない。よって、ショッピングカート１１を床面の傾斜方向と異なった方向へスムーズに直進させることができる。
【００１９】
（２）  この実施形態においては、後部キャスタ１８を旋回させるための構成が不要であるため、構成が簡単である。
（３）  この実施形態においては、後部キャスタ１８の車輪間隔が前部キャスタ１７の車輪間隔より狭くなっているため、後部キャスタ１８を中心としたショッピングカートの方向転換が容易である。
【００２０】
（第２実施形態）
次に、ショッピングカートの第２実施形態を前記第１実施形態と異なる部分を中心に説明する。
【００２１】
この第２実施形態においては、図１及び図３に破線矢印で示すように、後部キャスタ１８がキャスタ取付部としての上下方向に延びるキャスタ取付軸２１に対して旋回可能に支持されている。そして、前記第１実施形態の場合と同様に、後部キャスタ１８の車輪２８を支持する水平な車輪支持軸２７が、キャスタ取付軸２１の直下に配置されている。
【００２２】
従って、この第２実施形態によれば、前記第１実施形態における（１）に記載の効果に加えて、以下のような効果を得ることができる。
（２）  この実施形態においては、後部キャスタ１８が上下方向に延びるキャスタ取付軸２５を中心に旋回可能に支持されている。このため、ショッピングカート１１の進行方向を変更する場合には、前部キャスタ１７がキャスタ取付軸２１を中心に旋回されて、ショッピングカート１１の進行方向に指向されるとともに、後部キャスタ１８が前部キャスタ１７に追従してキャスタ取付軸２５を中心に旋回される。よって、ショッピングカート１１の進行方向をスムーズに変更することができる。
【００２３】
（変更例）
なお、この実施形態は、次のように変更して具体化することも可能である。
・  後部キャスタ１８及び前部キャスタ１７の車輪間隔を等しくすること。
【００２４】
・  籠１５に加えて、幼児を載せるための台を設けること。
・  前部キャスタ１７を後部キャスタ１８と同様にキャスタ取付部の直下に配置してもよい。あるいは、前部キャスタ１７のみをキャスタ取付部の直下に配置してもよい。
【符号の説明】
【００２５】
１１…ショッピングカート、１２…フレーム、１３…支持脚、１４…支持台、１６…ハンドル、１７…前部キャスタ、１８…後部キャスタ、２１…キャスタ取付軸、２３…車輪支持軸、２４…車輪、２５…キャスタ取付部としてのキャスタ取付軸、２７…車輪支持軸、２８…車輪。
【図１】
0003184259.tif 000003
【図２】
0003184259.tif 000004
【図３】
0003184259.tif 000005
【図４】
0003184259.tif 000006